(57)【要約】【課題】画像が形成された記録媒体に対して後処理を行いやすくする。【解決手段】画像形成装置２１０は、前回のジョブにおいて未だプリントしていなかった画像を連続紙１０１の裏面にプリントすする。このときの連続紙１０１の搬送により、図５（ａ）において、連続紙１０１の記録部分は、格納部２５６に格納されて、スタック印刷ページＵ１及びスタック印刷ページＤ１となる。このとき、上流機である画像形成装置１１０は、後処理に必要な画像である後処理用画像を連続紙１０１の表面にプリントする。この後処理用画像は、例えば連続紙１０１の搬送方向に沿って所定間隔毎に形成された、予め決められた形状の画像であり、後処理を行うときに連続紙１０１上の位置を特定するための目印となる。これにより、下流転写位置と上流転写位置の間にある連続紙１０１の表面には、後処理用画像がプリントされることになり、図５（ｂ）に示すような状態になる。【選択図】図５
2010256773.tif 000002
【特許請求の範囲】
【請求項１】
長手方向に連続する単一の記録媒体を搬送する搬送手段と、
複数の第１の画像を表す第１の画像データ群と、当該第１の画像の各々に対応する複数の第２の画像を表す第２の画像データ群を取得する取得手段と、
前記搬送手段により搬送される記録媒体に画像を形成する第１の画像形成手段と、
前記第１の画像形成手段の位置よりも前記記録媒体の搬送方向下流側に設けられ、前記記録媒体に画像を形成する第２の画像形成手段と、
画像が形成された前記記録媒体を格納する格納手段と、
前記第１の画像形成手段及び前記第２の画像形成手段に画像の形成を実行させる実行手段であって、
前記第１の画像形成手段により前記第１の画像データ群に応じた複数の第１の画像を記録媒体に形成させるとともに前記第２の画像形成手段により前記第２の画像データ群に応じた複数の第２の画像を記録媒体に形成させ、
前記複数の第１の画像及び前記複数の第２の画像が形成された前記記録媒体の記録部分が前記格納手段に格納されるまでの期間に亘って、当該記録部分に対する後処理に用いる画像である後処理用画像を前記第１の画像形成手段又は前記第２の画像形成手段により前記記録媒体に形成させる実行手段と
を備えることを特徴とする画像形成装置。
【請求項２】
前記実行手段は、
前記第１の画像形成手段によって前記第１の画像データ群に応じた複数の第１の画像を記録媒体に形成させるとともに、前記第２の画像形成手段によって前記第２の画像データ群に応じた複数の第２の画像を記録媒体に形成させた時点で、前記第１の画像形成手段及び前記第２の画像形成手段による画像の形成を停止させ、
画像の形成を停止した時から決められた時間が経過するまでに、前記取得手段が新たな前記第１の画像データ群及び前記第２の画像データ群を取得しなかった場合には、
前記複数の第１の画像及び前記複数の第２の画像が形成された前記記録媒体の記録部分が前記格納手段に格納されるまでの期間に亘って、前記第１の画像形成手段又は前記第２の画像形成手段により前記後処理用画像を記録媒体に形成させる
ことを特徴とする請求項１記載の画像形成装置。
【請求項３】
前記実行手段は、
前記第１の画像形成手段によって前記第１の画像データ群に応じた複数の第１の画像を記録媒体に形成させた時点で、前記第１の画像形成手段及び前記第２の画像形成手段による画像の形成を停止させ、
その停止した時から決められた時間が経過するまでに、前記取得手段が新たな前記第１の画像データ群及び前記第２の画像データ群を取得しなかった場合には、
前記第２の画像データ群に応じた複数の第２の画像のうち、まだ前記記録媒体に形成されていない第２の画像を前記第２の画像形成手段により当該記録媒体に形成させ、前記複数の第１の画像及び前記複数の第２の画像が形成された前記記録媒体の記録部分が前記格納手段に格納されるまでの期間に亘って、前記第１の画像形成手段又は前記第２の画像形成手段により前記後処理用画像を記録媒体に形成させる
ことを特徴とする請求項１記載の画像形成装置。
【請求項４】
前記実行手段は、
前記第１の画像形成手段によって前記第１の画像データ群に応じた複数の第１の画像を記録媒体に形成させるとともに、前記第２の画像形成手段によって前記第２の画像データ群に応じた複数の第２の画像を記録媒体に形成させた時点で、前記第１の画像形成手段及び前記第２の画像形成手段による画像の形成を停止させ、
前記取得手段が新たに取得した前記第１の画像データ群及び前記第２の画像データ群に応じた各画像の記録媒体搬送方向の長さが、前記画像の形成が停止されるときまでに前記記録媒体に形成された前記第１の画像及び前記第２の画像の記録媒体搬送方向の長さとは異なる場合には、
前記画像の形成が停止されるときまでに前記複数の第１の画像及び前記複数の第２の画像が形成された前記記録媒体の記録部分が前記格納手段に格納されるまでの期間に亘って、前記第１の画像形成手段又は前記第２の画像形成手段により前記後処理用画像を記録媒体に形成させる
ことを特徴とする請求項１〜３のいずれか１に記載の画像形成装置。
【請求項５】
前記実行手段は、
前記第１の画像形成手段によって前記第１の画像データ群に応じた複数の第１の画像を記録媒体に形成させた時点で、前記第１の画像形成手段及び前記第２の画像形成手段による画像の形成を停止させ、
前記取得手段が新たに取得した前記第１の画像データ群及び前記第２の画像データ群に応じた各画像の記録媒体搬送方向の長さが、前記画像の形成が停止されるときまでに前記記録媒体に形成された前記第１の画像及び前記第２の画像の記録媒体搬送方向の長さとは異なる場合には、
前記第２の画像データ群に応じた複数の第２の画像のうち、まだ前記記録媒体に形成されていない第２の画像を前記第２の画像形成手段により当該記録媒体に形成させ、前記複数の第１の画像及び前記複数の第２の画像が形成された前記記録媒体の記録部分が前記格納手段に格納されるまでの期間に亘って、前記第１の画像形成手段又は前記第２の画像形成手段により前記後処理用画像を記録媒体に形成させる
ことを特徴とする請求項１〜３のいずれか１に記載の画像形成装置。
【請求項６】
前記実行手段は、
前記第１の画像形成手段によって前記第１の画像データ群に応じた複数の第１の画像を記録媒体に形成させるとともに、前記第２の画像形成手段によって前記第２の画像データ群に応じた複数の第２の画像を記録媒体に形成させた時点で、前記第１の画像形成手段及び前記第２の画像形成手段による画像の形成を停止させ、
前記取得手段が新たに取得した前記第１の画像データ群及び前記第２の画像データ群に応じた画像が形成される前記記録媒体の量が不足している場合、又は、前記取得手段が新たに取得した前記第１の画像データ群及び前記第２の画像データ群に応じた画像を前記第１の画像形成手段及び前記第２の画像形成手段が形成するときに用いる材料が不足している場合には、
前記画像の形成が停止されるときまでに前記複数の第１の画像及び前記複数の第２の画像が形成された前記記録媒体の記録部分が前記格納手段に格納されるまでの期間に亘って、前記第１の画像形成手段又は前記第２の画像形成手段により前記後処理用画像を記録媒体に形成させる
ことを特徴とする請求項１〜５のいずれか１に記載の画像形成装置。
【請求項７】
前記実行手段は、
前記第１の画像形成手段によって前記第１の画像データ群に応じた複数の第１の画像を記録媒体に形成させた時点で、前記第１の画像形成手段及び前記第２の画像形成手段による画像の形成を停止させ、
前記取得手段が新たに取得した前記第１の画像データ群及び前記第２の画像データ群に応じた画像が形成される前記記録媒体の量が不足している場合、又は、前記取得手段が新たに取得した前記第１の画像データ群及び前記第２の画像データ群に応じた画像を前記第１の画像形成手段及び前記第２の画像形成手段が形成するときに用いる材料が不足している場合には、
前記第２の画像データ群に応じた複数の第２の画像のうち、まだ前記記録媒体に形成されていない第２の画像を前記第２の画像形成手段により当該記録媒体に形成させ、前記複数の第１の画像及び前記複数の第２の画像が形成された前記記録媒体の記録部分が前記格納手段に格納されるまでの期間に亘って、前記第１の画像形成手段又は前記第２の画像形成手段により前記後処理用画像を記録媒体に形成させる
ことを特徴とする請求項１〜５のいずれか１に記載の画像形成装置。
【請求項８】
前記第１の画像形成手段は、前記記録媒体が有する一方の記録面に第１の画像を形成し、
前記第２の画像形成手段は、前記記録媒体が有する他方の記録面に第２の画像を形成する
ことを特徴とする請求項１〜７のいずれか１に記載の画像形成装置。
【請求項９】
長手方向に連続する単一の記録媒体を搬送する搬送手段と、
画像を表す画像データを取得する取得手段と、
前記搬送手段により搬送される記録媒体に画像を形成する画像形成手段と、
画像が形成された前記記録媒体を格納する格納手段と、
前記画像形成手段に画像の形成を実行させる実行手段であって、前記画像形成手段が前記画像データに応じた画像を記録媒体に形成し終えてから、当該画像が形成された前記記録媒体の記録部分が前記格納手段に格納されるまでの期間に亘って、当該記録部分に対する後処理に用いる画像である後処理用画像を前記画像形成手段により前記記録媒体に形成させる実行手段と
を備えることを特徴とする画像形成装置。
【発明の詳細な説明】
【技術分野】
【０００１】
本発明は画像形成装置に関する。
【背景技術】
【０００２】
長尺状の連続紙に対して画像を形成する画像形成装置が知られている（例えば特許文献１参照）。この種の装置である連続紙画像形成システムの全体構成の一例を図１に示す。このシステムにおいては、連続紙１０１の搬送方向上流側に設けられた画像形成装置１１０がその連続紙１０１の表面に画像をプリントした後、下流側に設けられた画像形成装置２１０がその連続紙１０１の裏面にプリントを行うという重連構成になっている。画像形成装置１１０は、収納部１５４に収納されている連続紙１０１を、ローラ等によって構成される搬送路を有した搬送部１５０によって搬送し、転写部１３０で形成された画像を連続紙１０１に転写し、定着部１４０で定着させる構成である。画像形成装置２１０は、画像形成装置１１０と同じ構成を持ち、画像形成装置１１０でプリントがなされた連続紙１０１の裏面に画像をプリントする。中間バッファ装置３１０は、画像形成装置１１０と２１０の間に配置され、画像形成装置１１０から排出される連続紙１０１を一時的に貯え、画像形成装置１１０と２１０が連続紙１０１を搬送する速度のずれを吸収する装置である。反転機構装置３２０は、画像形成装置１１０と画像形成装置２１０との間に配置され、連続紙１０１を反転させる装置である。
【０００３】
次に、連続紙画像形成システムの画像形成処理の終了動作を説明する。画像形成装置１１０が、最後のページの表面に該当する画像を連続紙１０１にプリントすると、連続紙１０１はそのまま搬送され、最後のページの裏面に該当する位置が画像形成装置２１０の転写部２３０に達する。そして、画像形成装置２１０より裏面に画像がプリントされると、連続紙１０１はさらに搬送されて、格納部２５６に格納される。この格納が完了すると、搬送部１５０及び搬送部２５０の搬送処理が終了する。そして、連続紙画像形成システム１００が次のプリントを行う場合には、上記の状態から再開され、画像形成装置１１０、２１０が連続紙１０１に対して順次プリントを行う。この場合、画像処理の再開前に、画像形成装置２１０の格納部２５６から画像形成装置１１０の転写部１３０に至る経路にあった連続紙１０１には何もプリントされないまま格納部２５６に格納されることになる。
一方、上記のような重連構成としない場合、例えば、画像形成装置１１０が単体で動作する場合であっても、プリントが完了したページは排出されるか、あるいは画像形成装置１１０内の格納部２５６等に格納されるので、画像形成装置１１０の転写部１３０より下流側の搬送路に位置する連続紙１０１には何もプリントされない部分が生じる。
【０００４】
このようにして格納部２５６に格納された連続紙１０１に対しては、例えば１ページに相当する画像毎に切り離す処理などのように、各種の後処理がなされる場合がある。
【先行技術文献】
【特許文献】
【０００５】
【特許文献１】特開２００７−１５２８１号公報
【発明の概要】
【発明が解決しようとする課題】
【０００６】
本発明の目的は、画像が形成された記録媒体に対して後処理を行いやすくすることである。
【課題を解決するための手段】
【０００７】
請求項１に係る発明は、長手方向に連続する単一の記録媒体を搬送する搬送手段と、複数の第１の画像を表す第１の画像データ群と、当該第１の画像の各々に対応する複数の第２の画像を表す第２の画像データ群を取得する取得手段と、前記搬送手段により搬送される記録媒体に画像を形成する第１の画像形成手段と、前記第１の画像形成手段の位置よりも前記記録媒体の搬送方向下流側に設けられ、前記記録媒体に画像を形成する第２の画像形成手段と、画像が形成された前記記録媒体を収容する収容手段と、前記第１の画像形成手段及び前記第２の画像形成手段に画像の形成を実行させる実行手段であって、前記第１の画像形成手段により前記第１の画像データ群に応じた複数の第１の画像を記録媒体に形成させるとともに前記第２の画像形成手段により前記第２の画像データ群に応じた複数の第２の画像を記録媒体に形成させ、前記複数の第１の画像及び前記複数の第２の画像が形成された前記記録媒体の記録部分が前記収容手段に収容されるまでの期間に亘って、当該記録部分に対する後処理に用いる画像である後処理用画像を前記第１の画像形成手段又は前記第２の画像形成手段により前記記録媒体に形成させる実行手段とを備えることを特徴とする。
【０００８】
請求項２に係る発明は、請求項１に記載の構成において、前記実行手段は、前記第１の画像形成手段によって前記第１の画像データ群に応じた複数の第１の画像を記録媒体に形成させるとともに、前記第２の画像形成手段によって前記第２の画像データ群に応じた複数の第２の画像を記録媒体に形成させた時点で、前記第１の画像形成手段及び前記第２の画像形成手段による画像の形成を停止させ、画像の形成を停止した時から決められた時間が経過するまでに、前記取得手段が新たな前記第１の画像データ群及び前記第２の画像データ群を取得しなかった場合には、前記複数の第１の画像及び前記複数の第２の画像が形成された前記記録媒体の記録部分が前記収容手段に収容されるまでの期間に亘って、前記第１の画像形成手段又は前記第２の画像形成手段により前記後処理用画像を記録媒体に形成させることを特徴とする。
【０００９】
請求項３に係る発明は、請求項１に記載の構成において、前記実行手段は、前記第１の画像形成手段によって前記第１の画像データ群に応じた複数の第１の画像を記録媒体に形成させた時点で、前記第１の画像形成手段及び前記第２の画像形成手段による画像の形成を停止させ、その停止した時から決められた時間が経過するまでに、前記取得手段が新たな前記第１の画像データ群及び前記第２の画像データ群を取得しなかった場合には、前記第２の画像データ群に応じた複数の第２の画像のうち、まだ前記記録媒体に形成されていない第２の画像を前記第２の画像形成手段により当該記録媒体に形成させ、前記複数の第１の画像及び前記複数の第２の画像が形成された前記記録媒体の記録部分が前記収容手段に収容されるまでの期間に亘って、前記第１の画像形成手段又は前記第２の画像形成手段により前記後処理用画像を記録媒体に形成させることを特徴とする。
【００１０】
請求項４に係る発明は、請求項１〜３のいずれか１に記載の構成において、前記実行手段は、前記第１の画像形成手段によって前記第１の画像データ群に応じた複数の第１の画像を記録媒体に形成させるとともに、前記第２の画像形成手段によって前記第２の画像データ群に応じた複数の第２の画像を記録媒体に形成させた時点で、前記第１の画像形成手段及び前記第２の画像形成手段による画像の形成を停止させ、前記取得手段が新たに取得した前記第１の画像データ群及び前記第２の画像データ群に応じた各画像の記録媒体搬送方向の長さが、前記画像の形成が停止されるときまでに前記記録媒体に形成された前記第１の画像及び前記第２の画像の記録媒体搬送方向の長さとは異なる場合には、前記画像の形成が停止されるときまでに前記複数の第１の画像及び前記複数の第２の画像が形成された前記記録媒体の記録部分が前記収容手段に収容されるまでの期間に亘って、前記第１の画像形成手段又は前記第２の画像形成手段により前記後処理用画像を記録媒体に形成させることを特徴とする。
【００１１】
請求項５に係る発明は、請求項１〜３のいずれか１に記載の構成において、前記実行手段は、前記第１の画像形成手段によって前記第１の画像データ群に応じた複数の第１の画像を記録媒体に形成させた時点で、前記第１の画像形成手段及び前記第２の画像形成手段による画像の形成を停止させ、前記取得手段が新たに取得した前記第１の画像データ群及び前記第２の画像データ群に応じた各画像の記録媒体搬送方向の長さが、前記画像の形成が停止されるときまでに前記記録媒体に形成された前記第１の画像及び前記第２の画像の記録媒体搬送方向の長さとは異なる場合には、前記第２の画像データ群に応じた複数の第２の画像のうち、まだ前記記録媒体に形成されていない第２の画像を前記第２の画像形成手段により当該記録媒体に形成させ、前記複数の第１の画像及び前記複数の第２の画像が形成された前記記録媒体の記録部分が前記収容手段に収容されるまでの期間に亘って、前記第１の画像形成手段又は前記第２の画像形成手段により前記後処理用画像を記録媒体に形成させることを特徴とする。
【００１２】
請求項６に係る発明は、請求項１〜５のいずれか１に記載の構成において、前記実行手段は、前記第１の画像形成手段によって前記第１の画像データ群に応じた複数の第１の画像を記録媒体に形成させるとともに、前記第２の画像形成手段によって前記第２の画像データ群に応じた複数の第２の画像を記録媒体に形成させた時点で、前記第１の画像形成手段及び前記第２の画像形成手段による画像の形成を停止させ、前記取得手段が新たに取得した前記第１の画像データ群及び前記第２の画像データ群に応じた画像が形成される前記記録媒体の量が不足している場合、又は、前記取得手段が新たに取得した前記第１の画像データ群及び前記第２の画像データ群に応じた画像を前記第１の画像形成手段及び前記第２の画像形成手段が形成するときに用いる材料が不足している場合には、前記画像の形成が停止されるときまでに前記複数の第１の画像及び前記複数の第２の画像が形成された前記記録媒体の記録部分が前記収容手段に収容されるまでの期間に亘って、前記第１の画像形成手段又は前記第２の画像形成手段により前記後処理用画像を記録媒体に形成させることを特徴とする。
【００１３】
請求項７に係る発明は、請求項１〜５のいずれか１に記載の構成において、前記実行手段は、前記第１の画像形成手段によって前記第１の画像データ群に応じた複数の第１の画像を記録媒体に形成させた時点で、前記第１の画像形成手段及び前記第２の画像形成手段による画像の形成を停止させ、前記取得手段が新たに取得した前記第１の画像データ群及び前記第２の画像データ群に応じた画像が形成される前記記録媒体の量が不足している場合、又は、前記取得手段が新たに取得した前記第１の画像データ群及び前記第２の画像データ群に応じた画像を前記第１の画像形成手段及び前記第２の画像形成手段が形成するときに用いる材料が不足している場合には、前記第２の画像データ群に応じた複数の第２の画像のうち、まだ前記記録媒体に形成されていない第２の画像を前記第２の画像形成手段により当該記録媒体に形成させ、前記複数の第１の画像及び前記複数の第２の画像が形成された前記記録媒体の記録部分が前記収容手段に収容されるまでの期間に亘って、前記第１の画像形成手段又は前記第２の画像形成手段により前記後処理用画像を記録媒体に形成させることを特徴とする。
【００１４】
請求項８に係る発明は、請求項１〜７のいずれか１に記載の構成において、前記第１の画像形成手段は、前記記録媒体が有する一方の記録面に第１の画像を形成し、前記第２の画像形成手段は、前記記録媒体が有する他方の記録面に第２の画像を形成することを特徴とする。
【００１５】
請求項９に係る発明は、長手方向に連続する単一の記録媒体を搬送する搬送手段と、画像を表す画像データを取得する取得手段と、前記搬送手段により搬送される記録媒体に画像を形成する画像形成手段と、画像が形成された前記記録媒体を収容する収容手段と、前記画像形成手段に画像の形成を実行させる実行手段であって、前記画像形成手段が前記画像データに応じた画像を記録媒体に形成し終えてから、当該画像が形成された前記記録媒体の記録部分が前記収容手段に収容されるまでの期間に亘って、当該記録部分に対する後処理に用いる画像である後処理用画像を前記画像形成手段により前記記録媒体に形成させる実行手段とを備えることを特徴とする。
【発明の効果】
【００１６】
請求項１記載の発明によれば、画像が形成された記録媒体に対して後処理用画像を目安にして後処理を行い得るようになる。
請求項２記載の発明によれば、画像の形成を停止した時から決められた時間が経過するまでに新たな第１の画像データ群及び第２の画像データ群を取得しなかった場合には、記録媒体に後処理用画像を形成することができる。
請求項３記載の発明によれば、画像の形成を停止した時から決められた時間が経過するまでに新たな第１の画像データ群及び第２の画像データ群を取得しなかった場合には、記録媒体に後処理用画像を形成することができる。
請求項４記載の発明によれば、新たに取得した第１の画像データ群及び第２の画像データ群に応じた各画像の記録媒体搬送方向の長さが、画像の形成が停止されるときまでに記録媒体に形成された第１の画像及び第２の画像の記録媒体搬送方向の長さとは異なる場合には、記録媒体に後処理用画像を形成することができる。
請求項５記載の発明によれば、新たに取得した第１の画像データ群及び第２の画像データ群に応じた各画像の記録媒体搬送方向の長さが、画像の形成が停止されるときまでに記録媒体に形成された第１の画像及び第２の画像の記録媒体搬送方向の長さとは異なる場合には、記録媒体に後処理用画像を形成することができる。
請求項６記載の発明によれば、取得手段が新たに取得した第１の画像データ群及び第２の画像データ群に応じた画像が形成される記録媒体の量が不足している場合、又は、取得手段が新たに取得した第１の画像データ群及び第２の画像データ群に応じた画像を第１の画像形成手段及び第２の画像形成手段が形成するときに用いる材料が不足している場合には、記録媒体に後処理用画像を形成することができる。
請求項７記載の発明によれば、取得手段が新たに取得した第１の画像データ群及び第２の画像データ群に応じた画像が形成される記録媒体の量が不足している場合、又は、取得手段が新たに取得した第１の画像データ群及び第２の画像データ群に応じた画像を第１の画像形成手段及び第２の画像形成手段が形成するときに用いる材料が不足している場合には、記録媒体に後処理用画像を形成することができる。
請求項８記載の発明によれば、記録媒体の両面に画像を形成することができる。
請求項９記載の発明によれば、画像が形成された記録媒体に対して後処理用画像を目安にして後処理を行い得るようになる。
【図面の簡単な説明】
【００１７】
【図１】従来の連続紙画像形成システムの全体構成を示す概略図である。
【図２】本発明の一実施形態に係る連続紙画像形成システムの全体構成図を示す概略図である。
【図３】実施形態の全体の外観を示す斜視図である。
【図４】実施形態に係る連続紙画像形成システムの各部の構成を示すブロック図である。
【図５】実施形態において連続紙の表裏に行われるプリントの進行を模式的に示した図である。
【図６】実施形態の動作を示すフローチャートである。
【図７】実施形態の動作を示すフローチャートである。
【図８】実施形態の動作を示すフローチャートである。
【図９】変形例において連続紙の表裏に行われるプリントの進行を模式的に示した図である。
【図１０】変形例において連続紙の表裏に行われるプリントの進行を模式的に示した図である。
【発明を実施するための形態】
【００１８】
[構成]
図２に、本実施形態に係る連続紙画像形成システム１００の全体構成図を示す。ここで、図１に示した連続紙画像形成システムの各部と対応する部分には、同一の符合を付けてその説明を省略する。また、連続紙１０１は、長手方向に連続する単一の記録媒体のことである。また、「プリント」とは記録媒体に画像を形成することをいう。
図２において、第１の画像形成手段の一例である画像形成装置１１０は、操作用パネル１６１と、制御部１６０と、搬送手段の一例である搬送部１５０とを有している。操作用パネル１６１は、液晶表示画面と、その前面に設けられるタッチパネルを有しており、液晶表示画面に表示されたボタン等の位置をタッチすることにより各種の入力が行えるようになっている。制御部１６０は装置各部を制御するものであり、詳細については後述する。第２の画像形成手段の一例である画像形成装置２１０は、画像形成装置１１０の位置よりも連続紙１０１の搬送方向下流側に設けられている。この画像形成装置２１０についても操作用パネル２６１、制御部２６０及び搬送部２５０が設けられており、これらは上述した操作用パネル１６１、制御部１６０及び搬送部１５０と同様の構成となっている。画像形成装置１１０，２１０は画像形成制御装置４１０によって連携制御されるようになっており、画像形成制御装置４１０は外部装置５１０から供給される画像データを後述する手順に従って画像形成装置１１０，２１０に出力する。操作部４１１は、液晶表示画面と、その前面に設けられるタッチパネルとを有しており、液晶表示画面に表示されたボタン等の位置をタッチすることにより、画像形成制御装置４１０に対して各種の入力が行えるようになっている。
【００１９】
また、図２に示す転写部１３０，２３０は、図１に示すものと同様であり、その内部には、感光ドラム１３２と、その表面に対して静電潜像を形成するための露光を行うＬＥＤ露光装置１３６と、静電潜像に対してトナーを付着させるための現像器１３８を有している。以上が本実施形態の概略である。ここで、本実施形態における連続紙１０１の搬送状況を立体的に示すために、図３に本実施形態の全体の外観を示す。
【００２０】
次に、図４は、上述した各部をより詳細に示すブロック図である。図示のように、制御部１６０は、ＣＰＵ（Ｃｅｎｔｒａｌ  Ｐｒｏｃｅｓｓｉｎｇ  Ｕｎｉｔ）１６２と、このＣＰＵ１６２で用いられるプログラム等が記憶されたＲＯＭ（Ｒｅａｄ  Ｏｎｌｙ  Ｍｅｍｏｒｙ）１６３と、ＣＰＵ１６２のワークエリアとして用いられるＲＡＭ（Ｒａｎｄｏｍ  Ａｃｃｅｓｓ  Ｍｅｍｏｒｙ）１６４とを有しており、これらは一般的なコンピュータを構成している。ＣＰＵ１６２は、不揮発性のＲＡＭであるＮＶＲＡＭ１６５と、ＨＤＤ（ハードディスク装置）１６６とに対し、適宜データの書き込み、読み出しを行う。また、ＣＰＵ１６２は、操作用パネルインターフェース１６８を介して操作用パネル１６１の液晶表示画面に各種表示を行い、また、操作用パネル１６１から入力されるデータを受信する。
【００２１】
図４に示す機構部１２０は、図２に示す搬送部１５０、転写部１３０、定着部１４０及び収納部１５４等を有するブロックであり、連続紙１０１に対して画像のプリントを行う部分である。ＣＰＵ１６２は、機構部インターフェース１６７を介して機構部１２０を制御し、用紙の搬送、露光、転写、定着などを連携して制御する。画像形成制御装置インターフェース１６９は、画像形成制御装置４１０とＣＰＵ１６２との間でデータの授受を行う。
また、画像形成装置２１０内の制御部２６０、機構部２２０は、各々上述した制御部１６０，機構部１２０と同様の構成となっている。
【００２２】
画像形成制御装置４１０は、ＣＰＵ４１２と、このＣＰＵ４１２で用いられるプログラム等が記憶されたＲＯＭ４１３と、ＣＰＵ４１２のワークエリアとして用いられるＲＡＭ４１４とを有しており、これらは一般的なコンピュータを構成している。ＣＰＵ４１２は、不揮発性のＲＡＭであるＮＶＲＡＭ４１５とＨＤＤ（ハードディスク装置）４１６に対し、適宜データの書き込み、読み出しを行うとともに、制御部インターフェース４１７を介して画像形成装置１１０，２１０を制御し、また、外部装置インターフェース４１９を介して外部装置５１０から画像データを受信する。この外部装置インターフェース４１９は、画像データを取得する取得手段の一例として機能する。
【００２３】
[動作]
次に、この実施形態の動作について説明する。以下の説明において、「ジョブ」とは、連続紙１０１における１ページ分の領域に対応する画像を示す各画像データの集合の単位を意味し、又は、その単位となる画像データを用いてプリントを行うことを意味する。例えば、ジョブは、一の文書に含まれる各画像を表す画像データ群、又は、それの画像データ群に基づいて連続紙１０１に画像をプリントする処理を指す。本実施形態では、連続紙の表裏に画像がプリントされるため、ジョブは、連続紙１０１の表面にプリントされる複数の第１の画像を表す第１の画像データ群と、連続紙１０１の裏面にプリントされる複数の第２の画像を表す第２の画像データ群からなる。第１の画像データ群に含まれる各画像データと第２の画像データ群に含まれる各画像データとは、表裏の関係で１対１に対応している。
【００２４】
図５は、連続紙１０１の表裏に行われるプリントを模式的に示したものである。図５において、スタック位置とは、格納手段の一例である格納部２５６の搬送路上の位置であり、上流転写位置とは、連続紙画像形成システム１００における上流機である画像形成装置１１０の転写部１３０から連続紙１０１に対して画像が転写される搬送路上の位置であり、下流転写位置とは、下流機である画像形成装置２１０における転写部２３０から連続紙１０１に対して画像が転写される搬送路上の位置である。
本実施形態では、上流機である画像形成装置１１０によりジョブが終了すると、その時点で直ちに連続紙１０１の搬送が停止させられるようになっている。このとき、図５（ａ）に示すように、スタック位置と上流転写位置との間にある連続紙１０１の表面には、画像形成装置１１０により、ジョブに係る画像（未スタック印刷ページＵ１及びＵ２）がプリントされており、且つ、スタック位置と下流転写位置との間にある連続紙１０１の裏面には、画像形成装置２１０により、ジョブに係る画像（未スタック印刷ページＤ１）がプリントされている。一方、下流転写位置と上流転写位置との間にある連続紙１０１の裏面には、まだ画像形成装置２１０によってジョブに係る画像がプリントされていない。
【００２５】
そして、次のジョブを開始する指示がなされると、連続紙１０１の搬送が再開され、画像形成装置２１０は、前回のジョブにおいて未だプリントしていなかった画像（未スタック印刷ページＤ２）を連続紙１０１の裏面にプリントすする。このときの連続紙１０１の搬送により、図５（ａ）において、未スタック印刷ページＵ１及び未スタック印刷ページＤ１であった連続紙１０１の記録部分は、格納部２５６に格納されて、スタック印刷ページＵ１及びスタック印刷ページＤ１となる。このとき、上流機である画像形成装置１１０は、後処理に必要な画像である後処理用画像を連続紙１０１の表面にプリントする。この後処理用画像は、例えば連続紙１０１の搬送方向に沿って所定間隔毎に形成された、予め決められた形状の画像であり、後処理を行うときに連続紙１０１上の位置を特定するための目印となる。これにより、下流転写位置と上流転写位置の間にある連続紙１０１の表面には、後処理用画像がプリントされることになり、図５（ｂ）に示すような状態になる。この状態において、連続紙１０１の表裏には、連続紙１０１の表面に対応する複数の第１の画像と、連続紙１０１の裏面に対応する複数の第２の画像とがそれぞれプリントされ、ジョブに係る画像が全て連続紙１０１にプリントされたことになる。
【００２６】
続いて、画像形成装置１１０は、連続紙１０１が搬送されて未スタック印刷ページＵ２及びＤ２が全て格納部２５６に格納されるまで、後処理用画像を連続紙１０１にプリントする。このとき、下流機である画像形成装置２１０は、連続紙１０１の裏面に後処理用画像をプリントしてもよいし、プリントしなくてもよい。後処理を行うときに、裏面に後処理用画像が必要であれば、連続紙１０１の裏面にも後処理用画像がプリントされるし、必要でないなら、連続紙１０１の裏面には後処理用画像がプリントされない。後処理用画像をプリントするか否かは連続紙画像形成システム１００に予め設定されており、この図５では、画像形成装置２１０が後処理用画像をプリントしない例を示している。よって、図５（ｃ）に示すように、スタック位置と上流転写位置との間にある連続紙１０１の表面には、画像形成装置１１０により後処理用画像がプリントされているが、連続紙１０１の裏面には、後処理用画像がプリントされていない。このとき、図５（ａ），（ｂ）において、未スタック印刷ページＵ１，Ｕ２及び未スタック印刷ページＤ１，Ｄ２であった連続紙１０１の記録部分は、格納部２５６に格納されてスタック印刷ページＵ１、Ｕ２及びスタック印刷ページＤ１，Ｄ２となっている。このように、表裏に画像がプリントされた連続紙１０１におけるその記録部分が格納部２５６に格納されるまでの期間に亘っては、連続紙１０１に後処理用画像が画像形成装置１１０又は画像形成装置２１０によってプリントされることになる。
以上のようにして、各々のジョブに係る画像群の間に後処理用画像がプリントされる。そして、後処理を行う場合には、格納部２５６に格納された連続紙１０１が取り出されて後処理装置にセットされる。後処理装置は、連続紙１０１から後処理用画像を読み取り、これを目印にして各種後処理を行う。後処理とは、各々のジョブに係る画像データ群に応じた画像をプリントした後の連続紙１０１に対し、上記の後処理用画像を用いて行う処理であれば、どのようなものであってもよいが、例えば各画像の記録部分を画像毎に切り離す処理や、これら切り離された記録部分をステープラで留める処理、或いはこれらを製本するなどの処理などである。後処理装置は、後処理として例えば各画像の記録部分を切り離す処理を行う場合、自身にセットされた連続紙１０１を、紙を切断する切断機構へと搬送しながら、順次、画像の記録部分毎に連続紙１０１を切断してゆく。この場合、後処理装置は、連続紙１０１の搬送開始段階でその連続紙１０１を上記切断機構に向かって助走させつつ、最初の切り離し対象となる画像の記録部分の先頭箇所を特定する必要がある。この場合、連続紙１０１上には前述したように所定間隔を空けて後処理用画像がプリントされているから、後処理装置は、その後処理用画像を光学センサなどの読み取り手段で読み取り、さらに、その読み取りの時間間隔や読み取り回数に基づいて、最初の切り離し対象となる画像の記録部分の先頭箇所を特定する。後処理装置は、先頭箇所を特定すると、まずはその箇所を切断し、それ以降は、連続紙１０１を所定の長さごとに切断してゆけばよい。
【００２７】
次に、図６は、上流機である画像形成装置１１０の動作を説明するフローチャートであり、図７，８は、下流機である画像形成装置２１０の動作を説明するフローチャートである。図６の動作主体は、制御部１６０及び画像形成制御装置４１０であり、図７，８の動作主体は、制御部２６０及び画像形成制御装置４１０である。制御部１６０、制御部２６０及び画像形成制御装置４１０は、画像形成装置１１０及び画像形成装置２１０に画像のプリントを実行させる実行手段の一例として機能する。
図６に示すステップＳ１００においてジョブが開始されると（ステップＳ１００；Ｙｅｓ）、連続紙１０１の表面側に対しては、上流機である画像形成装置１１０によってジョブに係る各ページのプリントが順次行われる（ステップＳ１０１）。このとき同時に、反転機構装置３２０で連続紙１０１が表裏反転され、下流機である画像形成装置２１０によって各ページの裏面へのプリントが順次行われることになるが、これについては後述する。
【００２８】
画像形成装置１１０において、ジョブに係る表面の画像の転写が全て終了し、前掲した図５（ａ）の状態になると（ステップＳ１０２；Ｙｅｓ）、画像形成装置１１０におけるジョブに係る画像のプリントは停止させられ（ステップＳ１０３）、次に、ドレインがあるか否かが判断される（ステップＳ１０４）。ここで、「ドレイン」とは、先行するジョブに係る画像と後続するジョブに係る画像との間に一定の緩衝領域を設ける処理のことであり、本実施形態では、上述した後処理用画像をプリントする場合と、画像を何もプリントしない空白ページを設ける場合とがある。ドレインの有無は利用者等によってこの連続紙画像形成システム１００に予め設定されている。ここで、ドレインありと判断された場合には（ステップＳ１０４；Ｙｅｓ）、さらに、そのドレインの具体的処理として、連続紙１０１の表面に後処理用画像をプリントするか否かが判断される（ステップＳ１０５）。後処理用画像をプリントすると判断された場合（ステップＳ１０５；Ｙｅｓ）、連続紙１０１の表面側には画像形成装置１１０により後処理用画像のプリントが行われる（ステップＳ１０６）。一方、空白ページを設けると判断された場合（ステップＳ１０５；Ｎｏ）、連続紙１０１の表面側には何もプリントされないまま、連続紙１０１が搬送される（ステップＳ１０７）。そして、利用者の指示や何らかのエラー等によりドレインが中断させられると（ステップＳ１０８；Ｙｅｓ）、後処理用画像のプリントが停止させられる（ステップＳ１０３）。そしてこの場合は、ドレインなしと判断されて（ステップＳ１０４；Ｎｏ）、処理は終了する。
【００２９】
一方、ドレインが中断させられない間は（ステップＳ１０８；Ｎｏ）、ジョブに係る表裏の画像の記録部分が格納部２５６に全て格納されるまで（ステップＳ１０９；Ｎｏ）、つまり、図５（ｃ）の状態になるまでステップＳ１０５〜Ｓ１０８の処理が繰り返される。そして、格納部２５６への格納が全て完了し、図５（ｃ）の状態になると（ステップＳ１０９；Ｙｅｓ）、画像形成装置１１０によるプリント動作は停止させられて（ステップＳ１１０）、処理は終了する。
【００３０】
次に、下流機である画像形成装置２１０の動作を説明する。
図７に示すステップＳ２００においてジョブが開始されると（ステップＳ２００；Ｙｅｓ）、連続紙１０１の裏面側には、画像形成装置２１０によってジョブに係る各ページのプリントが順次行われる（ステップＳ２０１）。そして、図５（ａ）の状態になると、いったんプリントが停止させられる（ステップＳ２０２）。このとき、画像形成装置２１０のＮＶＲＡＭ２６５がはバッファとして機能し、未だプリントされていない画像データ（ページデータ）を保存している。次に、新たなジョブが開始されると、ドレインがあるか否かが判断され（ステップＳ２０３）、ドレインありと判断された場合には（ステップＳ２０３；Ｙｅｓ）、ＮＶＲＡＭ２６５に記憶されていた画像データ（ページデータ）に従って、画像形成装置２１０により未プリントの画像がプリントされる（ステップＳ２０４）。このとき、上流機である画像形成装置１１０は、図５（ａ）から図５（ｂ）に至るように、ドレインの具体的処理として後処理用画像をプリントしている。この後処理用画像のプリント中に、利用者の指示や何らかのエラー等によりドレインが中断させられると（ステップＳ２０５；Ｙｅｓ）、下流機である画像形成装置２１０においては、未プリントの画像のプリントが停止させられる一方（ステップＳ２０２）、上流機である画像形成装置１１０においては後処理用画像のプリントが停止させられる。そして、この後は、ドレインなしと判断されて（ステップＳ２０３；Ｎｏ）、処理は終了する。
【００３１】
一方、ドレインが中断させられない間は（ステップＳ２０５；Ｎｏ）、画像形成装置２１０により未プリントの画像の転写が全て完了するまで（ステップＳ２０６；Ｎｏ）、ステップＳ２０４〜Ｓ２０５の処理が繰り返される。そして、画像形成装置２１０においてジョブに含まれる裏面の画像の転写が全て終了し、図５（ｂ）の状態になると、連続紙１０１の裏面に後処理用画像をプリントするか否かが判断される（ステップＳ２０７）。後処理用画像をプリントすると判断された場合（ステップＳ２０７；Ｙｅｓ）、画像形成装置２１０により連続紙１０１の裏面側に後処理用画像のプリントが行われる（ステップＳ２０８）。一方、空白ページを設けると判断された場合（ステップＳ２０７；Ｎｏ）、連続紙１０１の裏面側には何もプリントされないまま、連続紙１０１が搬送される（ステップＳ２０９）。図５は、前述したとおり、連続紙１０１の裏面側に後処理用画像のプリントを行わずに、空白ページを設ける場合の例である。そして、利用者の指示や何らかのエラー等によりドレインが中断させられると（ステップＳ２１０；Ｙｅｓ）、画像形成装置２１０の処理は図８に進む。一方、ドレインが中断させられない間は（ステップＳ２１０；Ｎｏ）、ジョブに係る表裏の画像の記録部分が格納部２５６へ全て格納されるまで（ステップＳ２１１；Ｎｏ）、ステップＳ２０７〜Ｓ２１１の処理が繰り返される。そして、格納部２５６への格納が全て完了し、図５（ｃ）の状態になると（ステップＳ２１１；Ｙｅｓ）、画像形成装置２１０によるプリント動作（図５の例では空白ページを設けるという動作）は停止させられて（ステップＳ２１２）、処理は終了する。
【００３２】
次に、図８の内容を説明する。
図７のステップＳ２１１におけるドレイン中断により、後処理用画像のプリントがいったん停止させられる（図８のステップＳ２１４）。この後に、再びドレインの再開が利用者により指示されると（ステップＳ２１５；Ｙｅｓ）、後処理用画像をプリントするか否かが判断される（ステップＳ２１６）。後処理用画像をプリントすると判断された場合（ステップＳ２１６；Ｙｅｓ）、連続紙１０１の裏面側には画像形成装置２１０により後処理用画像のプリントが行われる（ステップＳ２１７）。一方、空白ページを設けると判断された場合（ステップＳ２１６；Ｎｏ）、連続紙１０１の裏面側には何もプリントされないまま、連続紙１０１が搬送される（ステップＳ２１８）。そして、利用者の指示や何らかのエラー等によりドレインが中断させられない間は（ステップＳ２１９；Ｎｏ）、ジョブに係る表裏の画像の記録部分が格納部２５６へ全て格納されるまで（ステップＳ２２０；Ｎｏ）、ステップＳ２１６〜Ｓ２１９の処理が繰り返される。そして、格納部２５６への格納が全て完了すると（ステップＳ２２０；Ｙｅｓ）、画像形成装置２１０によるプリント動作（図５の例では空白ページを設けるという動作）は停止させられて（ステップＳ２２１）、処理は終了する。
【００３３】
上述した実施形態を次のように変形してもよい。また、上述した実施形態及び以下の変形例は必要に応じて組み合わせられる。
【００３４】
（１）変形例１
実施形態では、画像形成装置１１０が表面に対応する画像データ群に応じた複数の画像を全て連続紙１０１にプリントし終えた時点で、画像形成装置１１０及び画像形成装置２１０の動作をいったん停止させていたが、この動作停止の時期は実施形態の例に限らない。
例えば図９に示すように、制御部１６０、制御部２６０及び画像形成制御装置４１０からなる実行手段は、画像形成装置１１０によって表面に対応する画像データ群に応じた複数の画像を全て連続紙１０１にプリントさせるとともに、画像形成装置２１０によって裏面に対応する画像データ群に応じた複数の画像を全て連続紙１０１にプリントさせた時点で、画像形成装置１１０及び画像形成装置２１０による画像のプリントを一斉に停止させてもよい。この停止までに、画像形成装置１１０は、未スタック印刷ページＵ２に引き続いて後処理用画像を連続紙１０１の表面にプリントしている。
また、図１０に示すように、実行手段は、画像形成装置１１０によって表面に対応する画像データ群に応じた複数の画像を全て連続紙１０１にプリントさせるとともに、画像形成装置２１０によって裏面に対応する画像データ群に応じた複数の画像を全て連続紙１０１にプリントさせた後、これらの表裏のプリント部分を全て格納部２５６に格納してから、画像形成装置１１０及び画像形成装置２１０による画像のプリントを一斉に停止させてもよい。この停止までに、画像形成装置１１０は、未スタック印刷ページＵ２に引き続いて、後処理用画像を連続紙１０１の表面にプリントしている。
なお、前述したとおり、画像形成装置２１０は、画像形成装置１１０によって後処理用画像がプリントされた部分の裏面を空白ページとするのではなく、上記の画像形成装置１１０と同様に後処理用画像をプリントしてもよい。
【００３５】
（２）変形例２
実行手段は、例えば図５（ａ）の状態のように、ジョブに係る画像のプリントを停止した時から時間の計測を開始し、決められた時間が経過するまでに、新たなジョブが外部装置インタフェース４１９により取得されなかった場合には、連続紙１０１の搬送を開始し、これらのプリント部分が格納部２５６に格納されるまでの期間に亘って、後処理用画像を連続紙１０１にプリントするようにしてもよい。このような処理を行うのは、以下の理由による。図５（ａ）に示す状態で長時間停止していると、画像形成装置１１０、２１０内には未だ定着が完了していない画像が連続紙１０１上に存在し、この画像が振動や熱などの外的影響で変化してしまうことが予想されることがある。また、裏面のプリントが完了していない状態で長尺の連続紙１０１を長く放置することが好ましくない場合もある。そのために、画像の未定着状態のまま長時間放置されている場合には、連続紙１０１を搬送して全ての画像を定着させ、プリント内容を確定させるとともに、後処理用画像をプリントするのである。
【００３６】
（３）変形例３
実行手段は、後処理用画像をプリントするか否かを、利用者の設定に従うのではなく、自動で判断するようにしてもよい。
例えば、実行手段は、先行するジョブと後続するジョブとの間で、各画像の連続紙１０１の搬送方向の長さが異なる場合には、後処理用画像をプリントするようにしてもよい。より具体的には、外部装置インタフェース４１９が新たに取得したジョブに係る各画像の長さが、その前のジョブにおいてプリントが停止されるときまでに連続紙１０１にプリントされた画像の長さとは異なる場合には、実行手段は、先行するジョブに係る画像がプリントされた連続紙１０１のプリント部分が全て格納部２５６に格納されるまでの期間に亘って、画像形成装置１１０又は画像形成装置２１０により後処理用画像を連続紙１０１にプリントさせる。画像の長さが違う場合には、後処理の内容が大きく異なることがあり、このような場合には、先行するジョブに係る画像と後続するジョブに係る画像との間に緩衝領域としての後処理用画像のプリント部分を設けることが望ましい。
【００３７】
（４）変形例４
また、実行手段は、次のようにして、後処理用画像をプリントするか否かを自動で判断するようにしてもよい。
即ち、実行手段は、外部装置インタフェース４１９が新たに取得したジョブに係る画像を画像形成装置１１０及び画像形成装置２１０がプリントするときに用いる連続紙１０１の量が不足している場合、又は、そのジョブに係る画像を画像形成装置１１０及び画像形成装置２１０がプリントするときに用いる材料が不足している場合には、先行するジョブに係る画像がプリントされた連続紙１０１のプリント部分が格納部２５６に格納されるまでの期間に亘って、画像形成装置１１０又は画像形成装置２１０により後処理用画像を連続紙１０１にプリントさせる。
より具体的には、実行手段は、新たなジョブを取得すると、そのジョブに使用する用紙の長さを計算する。そして、実行手段は、そのジョブの各画像において使用される連続紙１０１の長さとジョブに係るページ数を乗算して、次のジョブで使用する連続紙１０１の累積長を計算する。次に、実行手段は、画像形成装置１１０の収納部１５４内の連続紙１０１の残量を確認する。残量の検出は、例えば、収納部１５４に設けたセンサによって行ってもよく、また、連続紙１０１を収納部１５４にセットしたときの初期枚数を事前登録し、プリントが行われる度に、ページ数を減算することによって検出してもよい。そして、実行手段は、次のジョブで使用する用紙の累積長と残量を比較し、残量の方が少ない場合は、後処理用画像を連続紙１０１にプリントさせるようにする。
また、実行手段は、プリントに用いる材料（例えばトナーなど）の現在の使用実績値に次のジョブを実行完了するとした場合の使用時間を加え、その値が予め決められた規定値に対して大きいかどうかが判定される。使用実績については、実行手段が積算管理をして把握してもよく、また、画像形成制御装置４１０が画像形成装置１１０，２１０に問い合わせを行い、その応答信号から把握してもよい。実行手段は、上記判定の結果、規定値よりも大きい場合には、後処理用画像を連続紙１０１にプリントさせるようにする。
【００３８】
（５）変形例５
上述した実施形態および変形例においては、２つの画像形成装置が上流と下流においてそれぞれ連携してプリントを行う重連構成を例にとったが、一つの画像形成装置単体であっても本発明を適用することができる。
また、実施形態では、連続紙に対する両面プリントの例を説明したが、連続紙の一方の面に対し、画像形成装置１１０及び画像形成装置２１０が画像を形成する構成であってもよい。この場合、例えば、画像形成装置１１０がＹ（イエロー），Ｍ（マゼンタ），Ｃ（シアン），Ｋ（ブラック）の色の画像を形成し、画像形成装置２１０がＹ、Ｍ、Ｃ、Ｋ以外の色（例えばメタリック色とか透明色）の画像を形成する例が考えられる。この例の場合、同一ページにおける、Ｙ、Ｍ、Ｃ、Ｋ以外の色の画像を表す第１の画像データと、Ｙ、Ｍ、Ｃ、Ｋ以外の色の画像を表す第２の画像データとが対応している。
【００３９】
（６）変形例６
上述した実施形態、変形例は電子写真方式の画像形成装置を例にとったが、画像形成の方式はこれに限らず、どのような方式でも構わない。例えば、インクジェット方式による画像形成を行ってもよい。この場合には、転写と定着が同時になされるので、転写後であって未定着という状態はなくなる。
また、記録媒体は、紙に限らず、例えばＯＨＰフィルムのように画像形成される媒体であれは、どのような媒体でも構わない。
【符号の説明】
【００４０】
１００…連続紙画像形成システム、１０１…連続紙、１１０、２１０…画像形成装置、３１０…中間バッファ装置、３２０…反転機構装置、１２０、２２０…機構部、１３０、２３０…転写部、１３２、２３２…感光ドラム、１３６、２３６…ＬＥＤ露光装置、１３８、２３８…トナーカートリッジ、１４０、２４０…定着部、１５０、２５０…搬送部、１５４…収納部、２５６…格納部、１６０、２６０…制御部、１６１、２６１…操作用パネル、４１０…画像形成制御装置、５１０…外部装置。
【図１】
2010256773.tif 000003
【図２】
2010256773.tif 000004
【図３】
2010256773.tif 000005
【図４】
2010256773.tif 000006
【図５】
2010256773.tif 000007
【図６】
2010256773.tif 000008
【図７】
2010256773.tif 000009
【図８】
2010256773.tif 000010
【図９】
2010256773.tif 000011
【図１０】
2010256773.tif 000012